(57)【要約】【課題】  走行状態に係わらず、安定してテレビ放送を視聴することを可能とするデジタルデータ受信機を提供することを目的とする。【解決手段】  第１放送データから第１映像データを生成する第１映像データ生成部（１８）と、第２放送データから第２映像データを生成する第２映像データ生成部（１９）と、デジタルデータ受信機が搭載されている車両の位置情報を取得する位置情報取得部（３６）と、第１放送データの受信に適した第１受信エリアに対応した第１受信エリア情報及び第２放送データの受信に適した第２受信エリアに対応した第２受信エリア情報が記憶された記憶部（３２）と、現在位置情報、第１受信エリア情報及び第２受信エリア情報に基づいて、第１映像データと第２映像データとの切換えを行う映像切換部（３４、２４）と、を有することを特徴とするデジタルデータ受信機（１０）。【選択図】      図１
2006173777.tif 000002
【特許請求の範囲】
【請求項１】
デジタルデータ受信機であって、
第１放送データから第１映像データを生成する第１映像データ生成部と、
第２放送データから第２映像データを生成する第２映像データ生成部と、
デジタルデータ受信機の位置情報を取得する位置情報取得部と、
前記第１放送データの受信に適した第１受信エリアに対応した第１受信エリア情報及び前記第２放送データの受信に適した第２受信エリアに対応した第２受信エリア情報が記憶された記憶部と、
前記現在位置情報、前記第１受信エリア情報及び前記第２受信エリア情報に基づいて、前記第１映像データと前記第２映像データとの切換えを行う映像切換部と、
を有することを特徴とするデジタルデータ受信機。
【請求項２】
前記第１放送データは固定向けデジタル放送データであり、前記第２放送データは携帯向けデジタル放送データであり、
前記映像切換部は、デジタルデータ受信機が前記第１受信エリア内に存在すると判断された場合には前記第１映像データを出力するように切換えを行い、デジタルデータ受信機が前記第１受信エリア内に存在せず且つ前記第２受信エリア内に存在すると判断された場合には前記第２映像データを出力するように切換えを行う、請求項１に記載のデジタルデータ受信機。
【請求項３】
前記第１放送データの受信感度に対応した第１放送データ受信感度信号及び前記第２放送データの受信感度に対応した第２放送データ受信感度信号を発生する感度信号発生部と、
前記現在位置情報、前記第１受信エリア情報、前記第２受信エリア情報、前記第１放送データ受信感度信号及び前記第２放送データ受信感度信号に基づいて、前記第１受信エリア情報及び前記第２受信エリア情報の修正を行うためのエリア情報修正部と、をさらに有する請求項２に記載のデジタルデータ受信機。
【請求項４】
前記現在位置情報、前記第１受信エリア情報及び前記第２受信エリア情報に基づいて、デジタルデータ受信機が、前記第１受信エリアから前記第２受信エリアに移動したこと又は前記第２受信エリアから前記第１受信エリアに移動したことを通知するエリア変更通知信号を発生するエリア変更通知信号発生部を、さらに有する請求項１〜３の何れか一項に記載のデジタルデータ受信機。
【請求項５】
前記第１映像データと前記第２映像データ間で前記映像切換部による切換えが行われたことを通知する映像データ切換通知信号を発生する映像データ切換通知信号発生部を、さらに有する請求項１〜４の何れか一項に記載のデジタルデータ受信機。
【請求項６】
デジタルデータ受信機であって、
第１放送データから第１映像データを生成する第１映像データ生成部と、
第２放送データから第２映像データを生成する第２映像データ生成部と、
アナログ放送映像信号を取得するアナログ放送映像信号取得部と、
デジタルデータ受信機が位置情報を取得する位置情報取得部と、
前記第１放送データの受信に適した第１受信エリアに対応した第１受信エリア情報及び前記第２放送データの受信に適した第２受信エリアに対応した第２受信エリア情報が記憶された記憶部と、
前記現在位置情報、前記第１受信エリア情報及び前記第２受信エリア情報に基づいて、前記第１映像データ、前記第２映像データ及び前記アナログ放送映像信号の切換えを行う映像切換部と、を有することを特徴とするデジタルデータ受信機。
【請求項７】
前記第１放送データは固定向けデジタル放送データであり、前記第２放送データは携帯向けデジタル放送データであり、
前記映像切換部は、デジタルデータ受信機が前記第１受信エリア内に存在すると判断された場合には前記第１映像データを出力するように切換えを行い、デジタルデータ受信機が前記第１受信エリア内に存在せず且つ前記第２受信エリア内に存在すると判断された場合には前記第２映像データを出力するように切換えを行い、デジタルデータ受信機が前記第１受信エリア内に存在せず且つ前記第２受信エリア内に存在しないと判断された場合には前記アナログ放送映像信号を出力するように切換えを行う、請求項６に記載のデジタルデータ受信機。
【請求項８】
前記第１放送データの受信感度に対応した第１放送データ受信感度信号及び前記第２放送データの受信感度に対応した第２放送データ受信感度信号を発生する感度信号発生部と、
前記現在位置情報、前記第１受信エリア情報、前記第２受信エリア情報、前記第１放送データ受信感度信号及び前記第２放送データ受信感度信号に基づいて、前記第１受信エリア情報及び前記第２受信エリア情報の修正を行うためのエリア情報修正部と、をさらに有する請求項７に記載のデジタルデータ受信機。
【請求項９】
前記現在位置情報、前記第１受信エリア情報及び前記第２受信エリア情報に基づいて、デジタルデータ受信機が、前記第１受信エリアから前記第２受信エリアに移動したこと、前記第２受信エリアから前記第１受信エリアに移動したこと、又は前記第１及び第２受信エリア外に移動したことを通知するエリア変更通知信号を発生するエリア変更通知信号発生部を、さらに有する請求項６〜８の何れか一項に記載のデジタルデータ受信機。
【請求項１０】
前記第１映像データ、前記第２映像データ及び前記アナログ放送映像信号間で前記映像切換部による切換えが行われたことを通知する映像データ切換通知信号を発生する映像データ切換通知信号発生部を、さらに有する請求項６〜９の何れか一項に記載のデジタルデータ受信機。
【請求項１１】
デジタルデータ受信機であって、
第１放送データから第１映像データを生成する第１映像データ生成部と、
第２放送データから第２映像データを生成する第２映像データ生成部と、
アナログ放送映像信号を取得するアナログ放送映像信号取得部と、
前記第１映像データ、前記第２映像データ及び前記アナログ放送映像信号の切換えを行う映像切換部と、
前記第１映像データ、前記第２映像データ又は前記アナログ放送映像信号に基づく映像を表示させるための表示制御部と、
を有することを特徴とするデジタルデータ受信機。
【請求項１２】
前記表示制御部は、１つの画面に、前記第１映像データ基づく第１映像、前記第２映像データ基づく第２映像及び前記アナログ放送映像信号に基づく第３映像を表示させる、請求項１１に記載のデジタルデータ受信機。
【請求項１３】
前記第１映像データ基づく第１映像、前記第２映像データ基づく第２映像及びアナログ放送映像信号に基づく第３映像のいずれか１つを選択するための選択部、をさらに有する請求項１１に記載のデジタルデータ受信機。
【請求項１４】
前記表示制御部は、前記選択部で選択された映像を表示するように制御する、請求項１３に記載のデジタルデータ受信機。
【請求項１５】
前記表示制御部は、前記選択部で選択された映像を、他の選択されなかった映像と比較して大きく表示するように制御する、請求項１３に記載のデジタルデータ受信機。
【発明の詳細な説明】
【技術分野】
【０００１】
本発明は、複数種類の放送を切換えて使用することができるデジタル放送受信機等のデジタルデータ受信機に関するものである。
【背景技術】
【０００２】
デジタル放送では、伝送特性の異なる複数の階層を同時に伝送する階層伝送が可能である。そこで、例えば、デジタル放送による同一チャネル内で高品質画像と低品質画像とを受信し、受信状態に応じて良好な画面に切替える技術、さらには切替えの為の受信感度の閾値をユーザの好みに合わせて設定することができる技術が知られている（例えば、特許文献１）。
【０００３】
しかしながら、車両用や携帯型等のデジタルデータ受信機においては、放送データの受信状態は、局所的に電波を受信しにくくなる部分（ビルの影や谷部等）等の走行環境によって微妙に変化してしまうため、受信状態のみよって画像切替えを行うと、頻繁に画像の切替える必要が生じ、安定して画像を視聴することができないという不具合があった。
【０００４】
【特許文献１】特開２００２−１５８７２６号公報（２頁、図１）
【発明の開示】
【発明が解決しようとする課題】
【０００５】
そこで、本発明は、受信状態のみによって頻繁に画像を切替える必要のないデジタルデータ受信機を提供することを目的とする。
【０００６】
また、本発明は、走行状態に拘らず、安定してテレビ放送を視聴することを可能とするデジタルデータ受信機を提供することを目的とする。
【０００７】
さらに、本発明は、デジタル放送及びアナログ放送を合わせて受信することができ、状況に応じて最適な放送を表示することを可能とするデジタルデータ受信機を提供することを目的とする。
【課題を解決するための手段】
【０００８】
上記課題を解決するために、本発明に係るデジタルデータ受信機は、第１放送データから第１映像データを生成する第１映像データ生成部と、第２放送データから第２映像データを生成する第２映像データ生成部と、デジタルデータ受信機の位置情報を取得する位置情報取得部と、第１放送データの受信に適した第１受信エリアに対応した第１受信エリア情報及び第２放送データの受信に適した第２受信エリアに対応した第２受信エリア情報が記憶された記憶部と、現在位置情報、第１受信エリア情報及び第２受信エリア情報に基づいて、第１映像データと第２映像データとの切換えを行う映像切換部と、を有することを特徴とする。
【０００９】
また、本発明に係るデジタルデータ受信機では、第１放送データは固定向けデジタル放送データであり且つ第２放送データは携帯向けデジタル放送データであり、映像切換部は、デジタルデータ受信機が第１受信エリア内に存在すると判断された場合には第１映像データを出力するように切換えを行い、デジタルデータ受信機が第１受信エリア内に存在せず且つ第２受信エリア内に存在すると判断された場合には第２映像データを出力するように切換えを行うことが好ましい。受信エリア情報に応じて、固定向けデジタル放送による映像と携帯向けデジタル放送による映像との切換えを行うように構成した。なお、受信エリアによる映像の切換えに加えて、さらに受信感度や受信状態等に応じて、最適な映像を出力するように制御を行うことも可能である。
さらに、本発明に係るデジタルデータ受信機では、第１放送データの受信感度に対応した第１放送データ受信感度信号及び第２放送データの受信感度に対応した第２放送データ受信感度信号を発生する感度信号発生部と、現在位置情報、第１受信エリア情報、第２受信エリア情報、第１放送データ受信感度信号及び第２放送データ受信感度信号に基づいて、第１受信エリア情報及び第２受信エリア情報の修正を行うためのエリア情報修正部と、
をさらに有することが好ましい。例えば、第１受信エリア内に自車両が存在すると判断されたにも拘らず、良好に第１映像データを受信できなかった場合には、第１受信エリア情報を修正しようとするものである。
【００１０】
さらに、本発明に係るデジタルデータ受信機では、現在位置情報、第１受信エリア情報及び第２受信エリア情報に基づいて、デジタルデータ受信機が、第１受信エリアから第２受信エリアに移動したこと又は第２受信エリアから第１受信エリアに移動したことを通知するエリア変更通知信号を発生するエリア変更通知信号発生部を、さらに有することが好ましい。受信エリアが変わったことをユーザに通知できるように構成したものである。
【００１１】
さらに、本発明に係るデジタルデータ受信機では、第１映像データと第２映像データ間で映像切換部による切換えが行われたことを通知する映像データ切換通知信号を発生する映像データ切換通知信号発生部を、さらに有することが好ましい。放送が切換わったことをユーザに通知できるように構成したものである。
【００１２】
上記課題を解決するために、本発明に係るデジタルデータ受信機は、第１放送データから第１映像データを生成する第１映像データ生成部と、第２放送データから第２映像データを生成する第２映像データ生成部と、アナログ放送映像信号を取得するアナログ放送映像信号取得部と、デジタルデータ受信機の位置情報を取得する位置情報取得部と、第１放送データの受信に適した第１受信エリアに対応した第１受信エリア情報及び第２放送データの受信に適した第２受信エリアに対応した第２受信エリア情報が記憶された記憶部と、現在位置情報、第１受信エリア情報及び第２受信エリア情報に基づいて、第１映像データ、第２映像データ及びアナログ放送映像信号の切換えを行う映像切換部と、を有することを特徴とする。
【００１３】
また、本発明に係るデジタルデータ受信機では、第１放送データは固定向けデジタル放送データであり且つ第２放送データは携帯向けデジタル放送データであり、映像切換部は、デジタルデータ受信機が第１受信エリア内に存在すると判断された場合には第１映像データを出力するように切換えを行い、デジタルデータ受信機が第１受信エリア内に存在せず且つ第２受信エリア内に存在すると判断された場合には第２映像データを出力するように切換えを行い、デジタルデータ受信機が第１受信エリア内に存在せず且つ第２受信エリア内に存在しないと判断された場合にはアナログ放送映像信号を出力するように切換えを行うことが好ましい。受信エリア情報に応じて、固定向けデジタル放送による映像、携帯向けデジタル放送による映像及びアナログ放送による映像の切換えを行うように構成した。なお、受信エリアによる映像の切換えに加えて、さらに受信感度や受信状態等に応じて、最適な映像を出力するように制御を行うことも可能である。
さらに、本発明に係るデジタルデータ受信機では、第１放送データの受信感度に対応した第１放送データ受信感度信号及び第２放送データの受信感度に対応した第２放送データ受信感度信号を発生する感度信号発生部と、現在位置情報、第１受信エリア情報、第２受信エリア情報、第１放送データ受信感度信号及び第２放送データ受信感度信号に基づいて、第１受信エリア情報及び第２受信エリア情報の修正を行うためのエリア情報修正部と、
をさらに有することが好ましい。例えば、第１受信エリア内に自車両が存在すると判断されたにも拘らず、良好に第１映像データを受信できなかった場合には、第１受信エリア情報を修正しようとするものである。
【００１４】
さらに、本発明に係るデジタルデータ受信機では、現在位置情報、第１受信エリア情報及び第２受信エリア情報に基づいて、デジタルデータ受信機が、第１受信エリアから第２受信エリアに移動したこと、第２受信エリアから第１受信エリアに移動したこと、又は第１及び第２受信エリア外に移動したことを通知するエリア変更通知信号を発生するエリア変更通知信号発生部を、さらに有することが好ましい。受信エリアが変わったことをユーザに通知できるように構成したものである。
【００１５】
さらに、本発明に係るデジタルデータ受信機では、第１映像データ、第２映像データ及びアナログ放送映像信号間で映像切換部による切換えが行われたことを通知する映像データ切換通知信号を発生する映像データ切換通知信号発生部を、さらに有することが好ましい。放送が切換わったことをユーザに通知できるように構成したものである。
【００１６】
上記課題を解決するために、本発明に係るデジタルデータ受信機は、デジタルデータ受信機であって、第１放送データから第１映像データを生成する第１映像データ生成部と、第２放送データから第２映像データを生成する第２映像データ生成部と、アナログ放送映像信号を取得するアナログ放送映像信号取得部と、第１映像データ、第２映像データ及びアナログ放送映像信号の切換えを行う映像切換部と、第１映像データ、第２映像データ又はアナログ放送映像信号に基づく映像を表示させるための表示制御部と、を有することを特徴とする。
【００１７】
また、本発明に係るデジタルデータ受信機では、表示制御部は、１つの画面に、第１映像データ基づく第１映像、第２映像データ基づく第２映像及びアナログ放送映像信号に基づく第３映像を表示させることが好ましい。３つの種類の放送を同時に表示できるように構成したものである。
【００１８】
さらに、本発明に係るデジタルデータ受信機では、第１映像データ基づく第１映像、第２映像データ基づく第２映像及びアナログ放送映像信号に基づく第３映像のいずれか１つを選択するための選択部、をさらに有することが好ましい。ユーザが好みの種類の放送を選択することができるように構成したものである。
【００１９】
さらに、本発明に係るデジタルデータ受信機では、表示制御部は、選択部で選択された映像を表示するように制御することが好ましい。例えば、ユーザが選択した放送のみを表示させることができるようにしたものである。
【００２０】
さらに、本発明に係るデジタルデータ受信機では、表示制御部は、選択部で選択された映像を、他の選択されなかった映像と比較して大きく表示するように制御することが好ましい。例えば、ユーザが選択した種類の放送による映像を表示部全体に表示し、非選択放送による映像を小さく表示画面の周辺部に表示できるように構成した。
【発明の効果】
【００２１】
本発明に係るデジタルデータ受信機によれば、受信エリア情報に基づいて映像データの切換えを行うように制御されるので、頻繁に画像を切替える必要がなく、安定して良好な映像を視聴することが可能となった。
【００２２】
また、本発明に係るデジタルデータ受信機によれば、デジタル放送及びアナログ放送を合わせて受信し、状況に応じて最適な放送を選択することができるので、安定して良好な映像を視聴することが可能となった。
【００２３】
さらに、本発明に係るデジタルデータ受信機によれば、固定向けデジタル放送、携帯向けデジタル放送、アナログ放送の中から、ユーザが自由に選択することができるので、ユーザの好みに合わせて、最適な映像を視聴することが可能となった。
【発明を実施するための最良の形態】
【００２４】
以下図面を参照して、本発明に係るデジタルデータ（放送）受信機について説明する。
【００２５】
図１は、本発明に係わるデジタルデータ受信機１０の概要を示すブロック図である。
【００２６】
デジタルデータ受信機１０は、チューナ部１２、ＯＦＤＭ復調処理部１４、ＴＳデコード部１６、第１オーディオデコーダ１８、第２オーディオデコーダ１９、第１ビデオデコーダ２０、第２ビデオデコーダ２１、音声切換処理部２２、映像切換処理部２４、提示処理部２６、遅延回路３０、Ｄ／Ａ変換器３１、ＲＡＭ３２、ＲＯＭ３３、制御部３４、端末インターフェイス３５、Ｉ／Ｏ３６及びシステムバス３８等から構成されている。また、デジタルデータ受信機１０は、アンテナ４０、車載用のディスプレイ５０及びスピーカ６０、リモコン７０、ナビゲーション装置８０及びアナログＴＶ受信端末９０と接続されている。
【００２７】
デジタルデータ受信機１０は、リモコン７０及び／又はディスプレイ５０に設けられた各種入力装置（ボタン、タッチパネル等）からの操作入力によって制御される。さらに、デジタルデータ受信機１０は、少なくとも、ナビゲーション装置８０に設けられたＧＰＳ情報受信部８２からデジタルデータ受信機１０の搭載された車両の位置情報、車速パルス受信部８４から車速パルス情報を受信できるように構成されている。なお、デジタルデータ受信機１０に、前述したアンテナ４０、車載用のディスプレイ５０及びスピーカ６０、リモコン７０、ナビゲーション装置８０及びアナログＴＶ受信端末９０の何れか１つ又は複数を含むように構成しても良い。
【００２８】
チューナ部１２は、アンテナ４０より受信放送波を受信し、所望の帯域に存在するＯＦＤＭ（Orthogonal Frequency Division Multiplexing）信号を抽出して、内蔵するＡＧＣ（Auto Gain Control）回路によってレベル調整後、ＯＦＤＭ復調処理部１４へ送る。なお、ＯＦＤＭ信号は、ＡＧＣ信号によって、所望のレベルに制御される。また、チューナ部１２は、ＡＧＣ信号をシステムバス３８を介して制御部３４に送信する。制御部３４は、ＡＧＣ信号の電圧値に応じて、受信感度が良い／悪いの判別を各放送毎に行うことができる。
【００２９】
ＯＦＤＭ復調処理部１４は、デジタル変調されたＯＦＤＭ信号の復調を行い、誤り訂正処理等を行って、ＴＳ（トランスポート・ストリーム）パケット信号をＴＳデコード部１６へ送る。また同時に、ＯＦＤＭ復調処理部１４は、トランスポートエラー（ＴＳ−ＥＲＲ）：Ａ、Ｂ及びＣをシステムバス３８を介して制御部３４へ送信する。ＴＳ−ＥＲＲ：Ａは、携帯放送向けエラーを示し、ＴＳ−ＥＲＲ：Ｂ又はＴＳ−ＥＲＲ：Ｃは、固定放送向けエラーを示している。
ＴＳデコード部１６は、ＴＳパケット信号を、第１映像データ及び第１音声データと、第２映像データ及び第２音声データに分離し、それぞれ第１オーデイオデコーダ１８及び第１ビデオデコーダ２０と、第２オーデイオデコーダ１９及び第２ビデオデコーダ２１とに送る。ここで、第１映像データ及び第１音声データは、固定向け（家庭用の一般向け）デジタル放送に対応し、ＭＰＥＧ２方式によって符号化された符号化データ（以下、「固定向け放送データ」と言う）である。また、第２映像データ及び第２音声データは、携帯受信用のモバイル放送に対応し、Ｈ．２６４方式（ＭＰＥＧ−４Ｐａｒｔ１０としても知られる映像圧縮方式の一つ）（又はＭＰＥＧ４方式）によって符号化された符号化データ（以下、「携帯向け放送データ」と言う）である。
【００３０】
また、ＴＳデコード部１６は、同時に固定向け放送データのデコードエラー信号及び携帯向け放送データのデコードエラー信号をシステムバス３８を介して制御部３４へ送る。
【００３１】
ＯＦＤＭ方式では、同時に３種類の信号キャリアを搬送することができるので、最大３種類の映像データをＴＳデコード部１６から分離することができるが、本実施形態では、ＭＰＥＧ２方式と、Ｈ．２６４方式（又はＭＰＥＧ４方式）とで符号化された２種類の符号化データを取扱っている。しかしながら、これに限定されることなく、第３のオーデイオ及びビデオデコーダを設けることもできる。
【００３２】
第１及び第２オーデイオデコーダ１８及び１９の音声データは、制御部３４の制御によって音声切換処理部で何れか一方が選択され、遅延回路３０にて所定の遅延処理が成されて映像データと同期を取った後、Ｄ／Ａ変換器３１によってアナログ信号に変換されて、スピーカ６０から出力される。
【００３３】
また、第１及び第２ビデオデコーダ２０及び２１からの映像データは、制御部３４の制御によって映像切換処理部２４で何れか一方が選択され、提示処理部２６において所定の処理がなされた後、ディスプレイ５０に表示される。
【００３４】
制御部３４は、ＲＡＭ３２及びＲＯＭ３３を利用しながら、予めインストールされているプログラムにしたがって動作し、システムバス３８と接続されている各要素の制御を行う。また、制御部３４は、ナビゲーション装置８０から自車両の位置情報を取得し、予め記憶されている受信エリア情報と照らし合わせて、最適なデータを決定する。さらに、制御部３４は、チューナ部１２からＡＧＣ信号を、ＯＦＤＭ復調処理部１４からＴＳ−ＥＲＲ：Ａ及びＢ（又はＣ）を、デコード処理部１６からデコードエラー信号を受信し、各信号に基づいて固定向け放送データ及び携帯向け放送データの受信状態が良好か否かの判断を行う。本実施形態では、制御部３４は、ＡＧＣ信号に基づいて受信感度が悪く、ＴＳ−ＥＲＲ：Ａ又はＢ（又はＣ）とデコードエラー信号が出力されている場合には、受信状態不良と判断する。さらに、制御部３４は、受信状態の良／不良の判断に応じて音声切換処理部２２及び映像切換処理部２４を制御して、映像データ及び音声データの切換えをさらに行う。
【００３５】
固定向け放送データにおける映像データ及び音声データは、ＭＰＥＧ２方式で符号化された符号化データによるものであって、高品質であるが、ビットレートが高いことからノイズ耐性が弱く、放送局からの距離が長くなると、良好な受信が困難となる場合がある。これに対して、携帯向け放送データにおける映像データ及び音声データは、Ｈ．２６４方式（又はＭＰＥＧ４方式）で符号化された符号化データによるものであって、ＭＰＥＧ２方式に比べるとビットレートが低いため、ノイズ耐性が強く、放送局からの距離がより長くなっても良好に受信することが可能となる。
【００３６】
提示処理部２８は、選択された固定波放送向け又は携帯放送向けの映像データを、ディスプレイ５０サイズに適合させて表示させるための処理部であって、映像データを一時記憶するためのＶＲＡＭ等の記憶部２７、後述する映像データの演算処理を行うための演算処理部２８等を有している。
【００３７】
アナログＴＶ受信端末９０は、アナログ放送信号を受信し、端末Ｉ／Ｆ回路３５へ受信信号を出力する。端末Ｉ／Ｆ回路３５がアナログ信号端末９０からの受信信号を受信し、受信信号を映像信号と音声信号に分離して、音声信号を音声切替処理部２２へ、映像信号を映像切替処理部２４へ送信する。なお、アナログＴＶ受信端末９０は、アナログＴＶ受信機能付き携帯電話であっても良い。さらに、アナログＴＶ受信端末９０は、受信信号の受信感度を検知し、受信感度情報を端末Ｉ／Ｆ回路３５を介して制御部３４へ出力する機能を有している。
【００３８】
以下、図２を用いて、固定向け放送、携帯向け放送及びアナログ放送との切換処理フローについて説明する。図２のフローは、デジタルデータ受信機１０の制御部３４が、主に予めインストールされたプログラムに従って、実行する。
【００３９】
最初に、放送局から、ＭＰＥＧ２方式で符号化された符号化データによる固定向け放送データ、及びＨ．２６４方式（又はＭＰＥＧ４方式）で符号化された符号化データによる携帯向け放送データによる同じ内容の放送プログラムが、同一の放送チャンネルにおいて階層伝送されいるものとする。また、放送局から、前述のデジタル放送と同じ内容の放送プログラムがアナログ放送電波によって放送されているものとする。さらに、デジタルデータ受信機１０は、電源がＯＮされ、各種機能が動作可能な状況になるものとする（Ｓ２０１）。
【００４０】
次に、ユーザの所定の操作に従って、デジタルデータ受信機１０がＴＶモードに移行する（Ｓ２０２）。
【００４１】
次に、制御部３４は、ナビゲーション装置８０から自車両の現在位置情報を取得する（Ｓ２０３）。
【００４２】
次に、制御部３４は、Ｓ２０３で取得した現在位置情報及び予め記憶部３２に記憶されている受信エリア情報に基づいて、自車両が固定向け放送データを受信可能な第１受信エリア内に位置しているかの判断を行う（Ｓ２０４）。
【００４３】
図３に、受信エリア情報の一例を示す。
【００４４】
受信エリア情報は、図３に示されるように、固定向け放送データを受信可能な第１受信エリアに対応した第１受信エリア情報３０１と、携帯向け放送データ受信可能な第２受信エリアに対応した第２受信エリア情報３０２とを含んでいる。実際には、受信エリア情報は、地図上で１ｋｍ×１ｋｍ（又は５ｋｍ×５ｋｍ）を示すビットマップ情報として、記憶部３２に記憶される。
【００４５】
Ｓ２０４で自車両が第１受信エリア内に存在すると判断された場合には、制御部３４は、固定向け放送データの受信状態が良好である否かの判断を行う（Ｓ２０５）。ここで、制御部３４は、固定向け放送データに関し、ＡＧＣ信号に基づいて受信感度が悪く、ＴＳ−ＥＲＲ：Ｂ及びデコードエラー信号が出力されている場合に、受信状態が不良と判断し、それ以外の場合には受信状態良好と判断する。なお、前記判断条件は一例であって、他の条件を採用することも可能である。
【００４６】
Ｓ２０５で受信状態良好と判断された場合には、制御部３４は、固定向け放送の映像データ及び音声データを選択するように音声切替処理部２２及び映像切替処理部２４を制御する（Ｓ２０６）。
【００４７】
次に、制御部３４は、表示部５０に固定向け放送が選択された旨を表示する（Ｓ２０７）。
【００４８】
図４に、表示部５０の表示領域４００に表示される画像及びメッセージの配置例を示す。
【００４９】
本実施形態では、図４に示すように、表示領域４００内に、ＴＶ放送映像の表示領域４０１、メッセージ表示領域４０２、表示ボタン４０３、切替ボタン４０４、通知ボタン４０５を配置した。また、表示部５０の表面には透明導電膜等によるタッチパネル式入力機構が設けられており、表示部５０への表示と連動して表示部５０の表面に触れることによって、所望の入力を行うことができるように構成した。
【００５０】
例えば、Ｓ２０７では、４０１に固定向け放送の映像データによる映像が表示され、４０２に「固定向けデジタルＴＶ放送が選択されました。」等の第１メッセージが表示される。
【００５１】
また、表示決定ボタン４０３は切替え後放送を決定するためのボタンであり、切替ボタン４０４は固定向け放送、携帯向け放送及びアナログ放送をマニュアルで切替えるためのボタンであり、通知ＯＮ／ＯＦＦボタン４０５は通知（切替え）のＯＮ／ＯＦＦを行うためのボタンである。
Ｓ２０４で自車両が第１受信エリア内に存在しないと判断された場合には、制御部３４は、Ｓ２０３で取得した現在位置情報及び予め記憶部３２に記憶されている受信エリア情報に基づいて、自車両が携帯向け放送データを受信可能な第２受信エリア内に位置しているかの判断を行う（Ｓ２０８）。
【００５２】
Ｓ２０４で自車両が第２受信エリア内に存在すると判断された場合、及びＳ２０５で固定向け放送の受信状態が不良であると判断された場合には、制御部３４は、携帯向け放送データの受信状態が良好である否かの判断を行う（Ｓ２０９）。ここで、制御部３４は、携帯向け放送データに関し、ＡＧＣ信号に基づいて受信感度が悪く、ＴＳ−ＥＲＲ：Ａ及びデコードエラー信号が出力されている場合に、受信不良と判断し、それ以外の場合には受信状態良好と判断する。なお、前記判断条件は一例であって、他の条件を採用することも可能である。
【００５３】
Ｓ２０９で受信状態良好と判断された場合には、制御部３４は、携帯向け放送の映像データ及び音声データを選択するように音声切替処理部２２及び映像切替処理部２４を制御する（Ｓ２１０）。
【００５４】
次に、制御部３４は、表示部５０に携帯向け放送が選択された旨の表示を行う（Ｓ２１１）。例えば図４に示した表示例において、４０１に携帯向け放送の映像データによる映像が表示され、４０２に「携帯向けデジタルＴＶ放送が選択されました。」等の第２メッセージが表示される。
【００５５】
Ｓ２０８で自車両が第２受信エリア内にも存在しないと判断された場合、及びＳ２０９で携帯向け放送の受信状態が不良であると判断された場合には、制御部は、アナログ放送用受信信号の感度が良好であるか否かの判断を行う（Ｓ２１２）。アナログ放送用受信信号の感度が良好か否かは、制御部３４が、端末Ｉ／Ｆ回路３５を介してアナログＴＶ受信端末９０からの受信感度信号を受信し、受信された受信感度信号に基づいて判断する。
【００５６】
Ｓ２１２で、アナログ放送受信信号の感度が良好であると判断された場合には、制御部３４は、アナログ放送用の映像信号及び音声信号を選択するように音声切替処理部２２及び映像切替処理部２４を制御する（Ｓ２１３）。
【００５７】
次に、制御部３４は、表示部５０にアナログ放送が選択された旨の表示を行う（Ｓ２１４）。例えば図４に示した表示例において、４０１にアナログ放送による映像が表示され、４０２に「アナログ放送が選択されました。」等の第３メッセージが表示される。
【００５８】
Ｓ２１２で、アナログ放送受信信号の感度が不良であると判断された場合には、制御部３４は、いずれの方法も選択しない旨の表示を行う（Ｓ２１５）。例えば図４に示した表示例において、４０１には何も表示されず、４０２に「何れの放送も選択されませんでした。」等の第４メッセージが表示される。なお、この場合、４０１に、予め定められた静止画像等を表示し、アナログ放送の音声信号のみを出力するようにしても良い。
【００５９】
上記のフローは、デジタルデータ受信装置１０がＴＶモードにある限り、所定のタイミングで繰り返され、固定向け放送、携帯向け放送、及びアナログ放送が適宜切替られて、常に最適な映像が表示部５０に表示される。
【００６０】
図５に、表示部５０に表示される他の表示例を示す。
【００６１】
図５の表示例では、表示領域４００内に、ＴＶ放送映像の表示領域５０１、固定向け放送選択ボタン５０２、携帯向け放送選択ボタン５０３、アナログ放送選択ボタン５０４、及び自動切替えボタン５０５が配置される。固定向け放送選択ボタン５０２が押された場合には固定向け放送が強制的に選択され、携帯向け放送選択ボタン５０３が押された場合には携帯向け放送が強制的に選択され、アナログ放送選択ボタン５０４が押された場合にはアナログ放送が強制的に選択されるように、制御部３４によって制御がなされるように構成した。また、自動切替えボタン５０５が押された場合には、図２に示すフローに従って、自動的に放送の切替え制御が実行される。
【００６２】
図６に、表示部５０に表示される更に他の表示例を示す。
【００６３】
図６の表示例では、表示領域４００内に、固定向け放送表示領域６０１、携帯向け放送表示領域６０２、アナログ放送表示領域６０３、及び自動切替えボタン５０４が配置される。図６の例では、各領域６０１〜６０３には、各放送映像が同時並行的に表示されるものとする。また、自動切替えボタン５０５が押された場合には、図２に示すフローに従って、自動的に放送の切替え制御が実行され、選択された放送映像が、表示部５０の表示領域全体に表示されるように構成した。なお、各領域６０１〜６０３の部分を押すと、押された領域に対応する放送映像が、表示部５０の表示領域全体に表示されるように構成しても良い。
【００６４】
図７に、表示部５０に表示される更に他の表示例を示す。
【００６５】
図７の表示例では、表示領域４００内に、選択された放送映像を表示する領域７０１、選択されなかった放送映像を表示する第１の領域７０２及び第２の領域７０３を配置した。図７の例では、放送映像の切替えは図２のフローに従って自動的に実行され、選択された放送映像が領域７０１に表示され、選択されなかった他の２つの放送映像が領域７０２及び７０３に表示される。例えば、制御部３４によって固定向け放送が選択された場合には、固定向け放送が領域７０１に表示され、携帯向け放送及びアナログ向け放送は領域７０２及び７０３にそれぞれ表示される。
【００６６】
図２のフローでは、最初に受信エリア情報に基づいてどの放送を選択するかを判断し、次に選択された放送の受信状態を判断して、受信状態が良好であればその放送を選択するように制御した。しかしながら、受信状態を判断せずに、受信エリア情報のみに基づいて、放送の切換えを行うように制御することもできる。
【００６７】
図２のフローにおいて、受信エリア情報に基づいて所定の放送を選択したにも拘らず、受信状態が不良であって、結果として他の放送を選択した場合には、制御部３４は、受信エリア情報を書き換えることが好ましい。次回に同じ位置を自車両が走行した場合、より早く適切な放送を選択できるからである。また、逆に、固定向け放送及び携帯向け放送を受信するするためのエリアでないエリアにおいて、良好に放送を受信できる場合には、そのエリアを追加するように受信エリア情報を書き換えることが好ましい。
【００６８】
図２のフローでは、図４のメッセージ表示領域４０２に各放送が選択されたことを表示するように制御した。しかしながら、受信エリアが変更になった事、例えば、「第１受信エリアから第２受信エリアに移行しました。」、「第２受信エリアから第１受信エリアに移行しました。」等のメッセージを表示するようにしても良い。
【図面の簡単な説明】
【００６９】
【図１】本発明に係るデジタルデータ受信機の概要を示すブロック図である。
【図２】放送切換処理フローの一例を示す図である。
【図３】受信エリア情報の一例を示す図である。
【図４】表示方法の一例を示す図である。
【図５】表示方法の他の例を示す図である。
【図６】表示方法のさらに他の例を示す図である。
【図７】表示方法のさらに他の例を示す図である。
【符号の説明】
【００７０】
１０    デジタルデータ受信機
１４    ＯＦＤＭ復調処理部
１６    ＴＳデコード処理部
１８    第１オーデイオデコーダ
１９    第２オーデイオデコーダ
２０    第１ビデオデコーダ
２１    第２ビデオデコーダ
２２    音声切換処理部
２４    映像切換処理部
２６    提示処理部
３４    制御部
３５    端末Ｉ／Ｆ回路
３６    Ｉ／Ｏ
５０    ディスプレイ
６０    スピーカ
７０    リモコン
８０    ナビゲーション装置
９０    アナログＴＶ受信端末
【図１】
2006173777.tif 000003
【図２】
2006173777.tif 000004
【図３】
2006173777.tif 000005
【図４】
2006173777.tif 000006
【図５】
2006173777.tif 000007
【図６】
2006173777.tif 000008
【図７】
2006173777.tif 000009